(57)【要約】【課題】おむつそのものを目で観察する必要が無く、警告信号により排泄を知らせるおむつセンサ装置を提供すること。【解決手段】おむつ本体３と、おむつ本体３に設置され、排泄物の有無を検知して得たデータを信号として無線送信するセンサ４と、センサ４が送信する信号を受信し、排泄物が有る時に警告信号を発する受信機とを備える。センサ４に固有の識別コードを設け、センサ４はその識別コードをデータと共に無線送信し、受信機は、警告信号を発する時に、該当するセンサ４の識別コードを示すこともできる。【選択図】図３
0003147110.tif 000002
【実用新案登録請求の範囲】
【請求項１】
おむつ本体と、該おむつ本体に設置され、排泄物の有無を検知して得たデータを信号として無線送信するセンサと、該センサが送信する信号を受信し、排泄物が有る時に警告信号を発する受信機とを備えたことを特徴とするおむつセンサ装置。
【請求項２】
前記無線送信がブルートゥース（Ｂｌｕｅｔｏｏｔｈ）、赤外線、無線電波（ＲＦ）、レーザー、マイクロ波、及びＷＩ−ＦＩ送信のいずれかである請求項１に記載のおむつセンサ装置。
【請求項３】
前記受信機がモバイル通信装置、コンピュータシステム、ブレスレット型受信機、及び腕時計型受信機のいずれかである請求項１又は２に記載のおむつセンサ装置。
【請求項４】
前記警告信号が振動、ランプの発光、文字表示及び音声の少なくとも一つである請求項１〜３のいずれかに記載のおむつセンサ装置。
【請求項５】
前記センサは、検知を行い、検知したデータを信号に変換するセンサ部材と、該センサ部材が変換した信号を無線送信する送信機と、前記送信機及びセンサ部材に接続されて電力を供給する電池とを有する請求項１〜４のいずれかに記載のおむつセンサ装置。
【請求項６】
前記センサ部材が、湿度センサ、重量センサ、臭いセンサ、及び、酵素拡張電解効果トランジスタ（Ｅｎｚｙｍｅ−Ｅｘｔｅｎｄｅｄ−Ｇａｔｅ  Ｆｉｅｌｄ−Ｅｆｆｅｃｔ  Ｔｒａｎｓｉｓｔｏｒ）のいずれかである請求項５に記載のおむつセンサ装置。
【請求項７】
前記受信機は、アクセスポイントを介して、前記センサが送信する信号を受信する請求項１〜６のいずれかに記載のおむつセンサ装置。
【請求項８】
前記センサに固有の識別コードが設けられ、前記センサはその識別コードをデータと共に無線送信し、前記受信機は、警告信号を発する時に、該当するセンサの識別コードを示す請求項１〜７のいずれかに記載のおむつセンサ装置。
【考案の詳細な説明】
【技術分野】
【０００１】
本考案は、おむつ着用者の排泄を知らせるおむつセンサ装置に関する。
【背景技術】
【０００２】
一般人にとって排泄は非常に自然で容易な行為であるが、老人や嬰児、さらには精神異常や認知症の患者にとって、排泄は自分でコントロールできない行為なので、突然排泄して介護者を困らせることがあり、特に、託児所や老人ホームでは大きな問題となっている。  
このため、通常、介護者はこのような人々におむつを着用させ、排泄後に交換するようにしているが、おむつを長時間交換しないとおむつ内で細菌が繁殖し、湿疹等の皮膚病を引き起こす心配がある。
【０００３】
そこで、従来、図１及び図２に示すように、吸水によって変色する排尿検知ストリップ１２をおむつ本体１１の表面に取り付けて成るおむつ１が開発されている。  
このおむつ１は、おむつ本体１１の表面から排尿検知ストリップ１２の色の変化を見て、排泄を確認できるようになっているので、排泄後比較的短時間で排泄物の有無を知り、おむつを交換することができる。  
しかし、上記従来のおむつ１は、介護者が頻繁に排尿検知ストリップ１２の色の変化を目で確認する必要があるため、託児所や老人ホームでは介護者の負担が大きい。
【考案の開示】
【考案が解決しようとする課題】
【０００４】
本考案が解決しようとする課題は、おむつそのものを目で観察する必要が無く、警告信号により排泄を知らせるおむつセンサ装置を提供することにある。
【課題を解決するための手段】
【０００５】
本考案のおむつセンサ装置は、おむつ本体と、該おむつ本体に設置され、排泄物の有無を検知して得たデータを信号として無線送信するセンサと、該センサが送信する信号を受信し、排泄物が有る時に警告信号を発する受信機とを備える。  
以下の構成を採用しても良い。  
前記無線送信がブルートゥース（Ｂｌｕｅｔｏｏｔｈ）、赤外線、無線電波（ＲＦ）、レーザー、マイクロ波、及びＷＩ−ＦＩ送信のいずれかである構成。  
前記受信機がモバイル通信装置、コンピュータシステム、ブレスレット型受信機、及び腕時計型受信機のいずれかである構成。  
前記警告信号が振動、ランプの発光、文字表示及び音声の少なくとも一つである構成。
【０００６】
前記センサは、検知を行い、検知したデータを信号に変換するセンサ部材と、該センサ部材が変換した信号を無線送信する送信機と、前記送信機及びセンサ部材に接続されて電力を供給する電池とを有する構成。  
前記センサ部材が、湿度センサ、重量センサ、臭いセンサ、及び、酵素拡張電解効果トランジスタ（Ｅｎｚｙｍｅ−Ｅｘｔｅｎｄｅｄ−Ｇａｔｅ  Ｆｉｅｌｄ−Ｅｆｆｅｃｔ  Ｔｒａｎｓｉｓｔｏｒ）のいずれかである構成。  
前記受信機は、アクセスポイントを介して、前記センサが送信する信号を受信する構成。  
前記センサに固有の識別コードが設けられ、前記センサはその識別コードをデータと共に無線送信し、前記受信機は、警告信号を発する時に、該当するセンサの識別コードを示す構成。
【考案の効果】
【０００７】
本考案によれば、おむつの着用者が排泄すると、受信機が警告信号によってそれを知らせるので、介護者は必要なときに迅速におむつを交換することができ、このため、介護者が一定時間ごとにおむつを目で確認する手間を省くことができると共に、排泄した後で被介護者が長時間放置される心配も無く、被介護者及び介護者の双方にとって負担が軽減される。
【考案を実施するための最良の形態】
【０００８】
図３〜図７は、本考案の実施例１を示す。  
図３及び図４に示すように、本考案のおむつセンサ装置２は、おむつ本体３と、おむつ本体３に設置され、排泄物の有無を検知して得たデータを信号６として無線送信するセンサ４と、センサ４が送信する信号６を受信し、排泄物が有る時に警告信号５１を発する受信機５とを備える。  
センサ４は、おむつ本体３において排泄物が付着しやすい箇所の近傍、例えば股部に設置される。また、センサ４は、検知を行い、検知したデータを信号に変換するセンサ部材４２と、センサ部材４２が変換した信号を無線送信する送信機４１と、送信機４１及びセンサ部材４２に接続されて電力を供給する電池４３とを有する。
【０００９】
センサ部材４２は、排泄物の有無によって変化する要素を検知するものであり、湿度センサ、重量センサ、臭いセンサ、及び、酵素拡張電界効果トランジスタ（Ｅｎｚｙｍｅ−Ｅｘｔｅｎｄｅｄ−Ｇａｔｅ  Ｆｉｅｌｄ−Ｅｆｆｅｃｔ  Ｔｒａｎｓｉｓｔｏｒ）のいずれかとする。  
送信機４１は、図５に示すように、信号６を、ブルートゥース（Ｂｌｕｅｔｏｏｔｈ）、赤外線、無線電波（ＲＦ）、レーザー、マイクロ波、及びＷＩ−ＦＩ送信のいずれかによって無線送信する。
【００１０】
図６に示すように、受信機５は、モバイル通信装置５２、ノート型或いはデスクトップ型パーソナルコンピュータ等のコンピュータシステム５３、ブレスレット型受信機５５、及び腕時計型受信機５４のいずれかであり、図７に示すように、センサ４が発する信号６を受信し、センサ４の検知データが予め設定された許容範囲を超えた時に、排泄物が有るとして警告信号５１を発する。  
警告信号５１は、受信機５の種類に応じて、振動、ランプの発光、文字表示及び音声の少なくとも一つとする。
【００１１】
おむつ本体３に取り付けられたセンサ４のセンサ部材４２が検知したデータを、センサ４内の送信機４１が信号６として無線送信しているので、おむつ本体３を着用した状態で排泄すると、受信機５が受信した信号６により警告信号５１を発し、着用者が排泄したことを知らせる。  
このため、おむつセンサ装置２を託児所、老人ホーム等で使用すると、介護者は警告信号５１によっておむつ交換が必要なことを直ちに知り、効率良くおむつ交換を行なうことができる。
【００１２】
図８及び図９は、本考案の実施例２を示す。  
本実施例のおむつセンサ装置２において、センサ４は、検知データを変換して得た信号６をアクセスポイント７に無線送信する。アクセスポイント７は、この信号６を受信機５へ伝送し、受信機５は、アクセスポイント７を介してセンサ４が送信する信号６を受信する。  
また、センサ４には固有の識別コード８が設けられ、センサ４はその識別コード８をデータと共に信号６として無線送信する。  
受信機５は、警告信号５１を発する時に、該当するセンサ４から受信した識別コード８を文字或いは音声により示す。
【００１３】
従って、託児所や老人ホームのように多数の被介護者がいる場合には、どのセンサ４が排泄物を検知したのかを、受信機５の表示から直ちに知ることができ、必要なおむつを迅速に、且つ正確に交換することが可能となる。  
本実施例のその他の構造は実施例１と同様なので、同一部分に共通の符号を付して詳細な説明を省略する。  
なお、実施例１のおむつセンサ装置２においても、センサ４に固有の識別コード８を付与し、受信機５でセンサ４の識別コード８を表示することができる。
【図面の簡単な説明】
【００１４】
【図１】従来のおむつの斜視図。
【図２】従来のおむつの排泄後における斜視図。
【図３】本考案の実施例１に係るおむつの斜視図。
【図４】本考案の実施例１を示すおむつセンサ装置のブロック図。
【図５】本考案の実施例１に係るおむつの信号発信時における斜視図。
【図６】本考案の実施例１を示すおむつセンサ装置の斜視図。
【図７】本考案の実施例１を示すおむつセンサ装置の警告信号発信時における斜視図。
【図８】本考案の実施例２を示すおむつセンサ装置のブロック図。
【図９】本考案の実施例２を示すおむつセンサ装置の斜視図。
【符号の説明】
【００１５】
２  おむつセンサ装置
３  おむつ本体
４  センサ
４１  送信機
４２  センサ部材
４３  電池
５  受信機
５１  警告信号
６  信号
７  アクセスポイント
８  識別コード
【図１】
0003147110.tif 000003
【図２】
0003147110.tif 000004
【図３】
0003147110.tif 000005
【図４】
0003147110.tif 000006
【図５】
0003147110.tif 000007
【図６】
0003147110.tif 000008
【図７】
0003147110.tif 000009
【図８】
0003147110.tif 000010
【図９】
0003147110.tif 000011
【手続補正書】
【提出日】平成20年10月6日(2008.10.6)
【手続補正１】
【補正対象書類名】実用新案登録請求の範囲
【補正対象項目名】請求項２
【補正方法】変更
【補正の内容】
【請求項２】
前記無線送信がブルートゥース（Ｂｌｕｅｔｏｏｔｈ（登録商標））、赤外線、無線電波（ＲＦ）、レーザー、マイクロ波、及びＷＩ−ＦＩ送信のいずれかである請求項１に記載のおむつセンサ装置。
【手続補正２】
【補正対象書類名】明細書
【補正対象項目名】０００５
【補正方法】変更
【補正の内容】
【０００５】
本考案のおむつセンサ装置は、おむつ本体と、該おむつ本体に設置され、排泄物の有無を検知して得たデータを信号として無線送信するセンサと、該センサが送信する信号を受信し、排泄物が有る時に警告信号を発する受信機とを備える。  
以下の構成を採用しても良い。  
前記無線送信がブルートゥース（Ｂｌｕｅｔｏｏｔｈ（登録商標））、赤外線、無線電波（ＲＦ）、レーザー、マイクロ波、及びＷＩ−ＦＩ送信のいずれかである構成。  
前記受信機がモバイル通信装置、コンピュータシステム、ブレスレット型受信機、及び腕時計型受信機のいずれかである構成。  
前記警告信号が振動、ランプの発光、文字表示及び音声の少なくとも一つである構成。
【手続補正３】
【補正対象書類名】明細書
【補正対象項目名】０００９
【補正方法】変更
【補正の内容】
【０００９】
センサ部材４２は、排泄物の有無によって変化する要素を検知するものであり、湿度センサ、重量センサ、臭いセンサ、及び、酵素拡張電界効果トランジスタ（Ｅｎｚｙｍｅ−Ｅｘｔｅｎｄｅｄ−Ｇａｔｅ  Ｆｉｅｌｄ−Ｅｆｆｅｃｔ  Ｔｒａｎｓｉｓｔｏｒ）のいずれかとする。  
送信機４１は、図５に示すように、信号６を、ブルートゥース（Ｂｌｕｅｔｏｏｔｈ（登録商標））、赤外線、無線電波（ＲＦ）、レーザー、マイクロ波、及びＷＩ−ＦＩ送信のいずれかによって無線送信する。